(57)【要約】  本発明は、ＭＰＶプロファイルを利用したマルチメディアデータの再生方法及びその再生装置に係り、本発明によるＭＰＶ標準によるプロファイルを利用してマルチメディアデータを再生する方法は、ＭＰＶ文書から、支援される複数のプロファイルのうち、特定プロファイルが使われることを表す基準エレメントを検出するステップと、検出された基準エレメントに対応するプロファイルについての情報を利用して、ＭＰＶ文書をアップデートするステップと、アップデートされたＭＰＶ文書をパージングして、前記マルチメディアデータを再生するステップと、を含むことを特徴とする。  これにより、ＭＰＶ標準のプロファイルを利用して効率的にマルチメディアデータを再生できる。
2008504719.tif 000002
【特許請求の範囲】
【請求項１】
ＭＰＶ標準によるプロファイルを利用してマルチメディアデータを再生する方法において、
ＭＰＶ文書から、前記支援される複数のプロファイルのうち、特定プロファイルが使われることを表す基準エレメントを検出するステップと、
検出された基準エレメントに対応するプロファイルについての情報を利用して、前記ＭＰＶ文書をアップデートするステップと、
前記アップデートされたＭＰＶ文書をパージングして、前記マルチメディアデータを再生するステップとを含むことを特徴とする再生方法。
【請求項２】
前記支援される複数のプロファイルは、資産リストを定義するベーシックプロファイル、属性を定義するプレゼンテーションプロファイル、音楽関連ファイルを定義するミュージックプロファイル、及びその他の支援されるプロファイルのうち、少なくとも一つを含むことを特徴とする請求項１に記載の再生方法。
【請求項３】
前記基準エレメントは、前記ベーシックプロファイルの場合には資産リストエレメント、前記プレゼンテーションプロファイルの場合にはアルバムエレメント、前記ミュージックプロファイルの場合にはミュージック属性エレメントまたはオーディオ＋デジタル写真エレメントであることを特徴とする請求項２に記載の再生方法。
【請求項４】
前記ＭＰＶ文書をアップデートするステップは、前記検出された基準エレメントに対応するプロファイルについての情報を、前記ＭＰＶ文書のプロファイルバックに追加するステップであることを特徴とする請求項１に記載の再生方法。
【請求項５】
前記ＭＰＶ文書をアップデートするステップは、前記基準エレメントが検出されず、前記ＭＰＶ文書の前記プロファイルバックには、前記基準エレメントに対応するプロファイルについての情報が存在する場合には、前記対応するプロファイルについての情報を削除するステップであることを特徴とする請求項４に記載の再生方法。
【請求項６】
ＭＰＶ標準によるプロファイルを利用してマルチメディアデータを再生する装置において、
ＭＰＶ文書から、支援される複数のプロファイルのうち、特定プロファイルが使われることを表す基準エレメントを検出し、検出された基準エレメントに対応するプロファイルについての情報を利用して、前記ＭＰＶ文書をアップデートするプロファイル管理者と、
前記アップデートされたＭＰＶ文書をパージングして前記マルチメディアデータを再生するＭＰＶパーザとを備えることを特徴とする再生装置。
【請求項７】
前記支援される複数のプロファイルは、資産リストを定義するベーシックプロファイル、属性を定義するプレゼンテーションプロファイル、音楽関連ファイルを定義するミュージックプロファイル、及びその他の支援されるプロファイルのうち、少なくとも一つを含むことを特徴とする請求項６に記載の再生装置。
【請求項８】
前記基準エレメントは、前記ベーシックプロファイルの場合には資産リストエレメント、前記プレゼンテーションプロファイルの場合にはアルバムエレメント、前記ミュージックプロファイルの場合にはミュージック属性エレメントまたはオーディオ＋デジタル写真エレメントであることを特徴とする請求項７に記載の再生装置。
【請求項９】
前記プロファイル管理者は、前記検出された基準エレメントに対応するプロファイルについての情報を、前記ＭＰＶ文書のプロファイルバックに追加することを特徴とする請求項６に記載の再生装置。
【請求項１０】
前記プロファイル管理者は、前記基準エレメントが検出されず、前記ＭＰＶ文書の前記プロファイルバックに、前記基準エレメントに対応するプロファイルについての情報が存在する場合には、前記対応するプロファイルについての情報を削除することを特徴とする請求項９に記載の再生装置。
【請求項１１】
パソコン、ＤＶＤプレーヤー、ＤＶＤ再生機能を持つＤＶＤレコーダ、ＭＰ３プレーヤーのうちいずれか一つであることを特徴とする請求項６に記載の再生装置。
【請求項１２】
ＭＰＶ標準によるプロファイルを使用してマルチメディアデータを再生する方法において、
ＭＰＶファイルで複数の支援されるプロファイルのうち、所定プロファイルが使われることを表す基準エレメントを検出するステップと、
検出された基準エレメントに対応するプロファイルについての情報を利用して、前記ＭＰＶファイルで使われるプロファイルを決定するステップと、
前記決定されたプロファイルを使用してマルチメディアデータを再生するステップとを含むマルチメディア再生方法。
【発明の詳細な説明】
【技術分野】
【０００１】
本発明は、マルチメディアデータの再生に係り、より具体的には、ミュージック  フォト  ビデオ（以下ＭＰＶという）標準のプロファイルを利用してマルチメディアデータを再生する方法及びその再生装置に関する。
【背景技術】
【０００２】
最近、デジタルカメラ、デジタルカムコーダ、または、ＭＰＥＧオーディオファイルであるＭＰ３ファイルや、マイクロソフトウィンドウメディアオーディオファイルであるＷＭＡファイルなどを支援するデジタルオーディオ再生装置などが普遍化するにつれて、ビデオ、オーディオ、テキスト、ドキュメントのような多様な種類のマルチメディアコンテンツが生成されている。
【０００３】
このようなマルチメディアコンテンツを生成する装置は、マルチメディアコンテンツを生成するだけでなく、生成されたコンテンツの再生順序や再生方法などの属性を指定するメタデータを生成できる。例えば、デジタルカメラを利用して写真をキャプチャしつつ、キャプチャされたデジタル写真をスライドショーやパノマラ機能を利用して再生できるように、スライド順序、複数の写真間の間隔、または複数の写真間の関係などのような属性を定義するメタデータを共に生成するのである。
【０００４】
コンテンツと共にメタデータを含むマルチメディアデータは、パソコン、メディアサーバ、または多様なマルチメディア再生装置により再生される。また、パソコンやメディアサーバで製作者の意図によって編集または製作されることもある。これにより、ユーザは、マルチメディア再生装置を利用して元来のコンテンツだけでなく、製作または編集されたコンテンツを鑑賞できる。また、マルチメディアコンテンツは、オンラインサービスを通じてユーザに提供されることもある。
【０００５】
しかし、マルチメディアコンテンツ生成装置とマルチメディア再生装置との相互連動性が脆弱であり、コンテンツ生成装置で生成されたメタデータがコンテンツ再生装置に伝えられない場合が多い。結局、前述したメタデータによってコンテンツを再生できないという問題点が発生する。これは、コンテンツ生成装置とコンテンツ再生装置とが相異なるデータ構造とデータ処理方式を持つためである。
【０００６】
このような問題点を解決するために、ＯＳＴＡ（Ｏｐｔｉｃａｌ  ＳｔｏｒａｇｅＴｅｃｈｎｏｌｏｇｙ  Ａｓｓｏｃｉａｔｉｏｎ）によりＭＰＶ標準化が進められている。ＭＰＶ標準は、光学ディスク、メモリカード、コンピュータハードディスクのような記録媒体に保存されるか、インターネットを通じて交換されるデジタル写真、ビデオ、オーディオ、テキスト、ドキュメントなどのマルチメディアデータを容易に管理、再生及び交換することを主目的としている。
【０００７】
図１は、ＭＰＶ標準によるマルチメディアデータの構造を説明するための図である。図１を参照するに、記録媒体に記録されるか、インターネットを通じて伝えられるＭＰＶ標準のマルチメディアデータは、ＭＰＶマニフェストファイル１１０とコンテンツファイル１２０とを含む。特に、ＭＰＶマニフェストファイル１１０は、前述したメタデータによってコンテンツの再生を制御するためのＸＭＬ（ｅＸｔｅｎｓｉｂｌｅ  Ｍａｒｋｕｐ  Ｌａｎｇｕａｇｅ）基盤の文書である。ＭＰＶマニフェストファイル１１０は、マルチメディアデータのリストを定義した資産（ａｓｓｅｔｓ）と、これに結合されたマルチメディアデータの属性を定義したメタデータとを定義する。以下、ＭＰＶマニフェストファイル１１０をＭＰＶ文書と略称する。ＭＰＶ文書は、含まれたコンテンツのメディアタイプによって一連のプロファイルを利用して再生される。
【０００８】
図２は、ＭＰＶ標準によるマルチメディアデータの再生に必要なプロファイル構造を説明するための図である。図２を参照するに、ＭＰＶ標準は、ＭＰＶコア２１０と、ＭＰＶコアを利用するプロファイル２００とで構成される。プロファイルには、ベーシックプロファイル２０２、プレゼンテーションプロファイル２０４、ミュージックプロファイル２０６と、以後にＭＰＶ標準に含まれるその他に支援されるプロファイル２０８がと含まれる。
【０００９】
ＭＰＶコア２１０は、マルチメディアデータのリストを定義する部分であり、コレクション、メタデータ、及び識別子（ｉｄｅｎｔｉｆｉｅｒ）のようなエレメントを含み、特にコレクションは、マニフェスト、資産リスト（ＡｓｓｅｔＬｉｓｔ）、表示資産（ＭａｒｋｅｄＡｓｓｅｔｓ）などのエレメントを含む。
【００１０】
ＭＰＶコア２１０とベーシックプロファイル２０２とは、マルチメディアデータのリストの資産を定義する。
【００１１】
プレゼンテーションプロファイル２０４は、ディスプレー画面にマルチメディアデータを表示する方法を定義した部分であり、フォアグラウンド、バックグラウンド、背景音楽やオーディオ解説と共に再生されるスライドショーのようなマルチメディアデータの表示方法を定義する。
【００１２】
ミュージックプロファイル２０６は、音楽ファイルコレクションや、これと連結された音楽家、製作年度、オンライン情報などのメタデータを定義する。
【００１３】
コンテンツ再生装置は、ＭＰＶ文書１１０に含まれたＭＰＶエレメントの種類によって、ＭＰＶコア２１０と共に、ベーシックプロファイル２０２を使用するか、プレゼンテーションプロファイル２０４を使用するか、またはミュージックプロファイル２０６を使用するかを決定する。すなわち、ＭＰＶ文書を利用してマルチメディアコンテンツを効率的に再生するために、図２に図示されたＭＰＶ標準のあらゆるプロファイルがメモリにロードされる必要はなく、ＭＰＶ文書に含まれたＭＰＶエレメントによって、適切なプロファイルのみ選択的にメモリにロードされて使われる。
【００１４】
図３は、ＭＰＶ標準によるマルチメディアデータファイルの一例を示す図である。図３及び図２を参照するに、ＭＰＶ文書１１０は、マルチメディアデータのリストを定義した資産リスト（アセットリスト）３０６と、属性を定義したメタデータ３０４とを含む。特に、メタデータには、マニフェストファイルの属性情報（ｆｉｌｅ：ＭａｎｉｆｅｓｔＰｒｏｐｅｒｔｉｅｓ）として、プロファイルバック３０４が定義されうる。プロファイルバック３０４は、ＭＰＶ文書で使用するプロファイルを定義する部分である。
【００１５】
ＰＲＯＦＩＬＥ−ＤＥＣＬＡＲＡＴＩＯＮ部分には、次のようなプロファイルについての定義が含まれうる。
【００１６】
例えば、ＭＰＶ文書がベーシックプロファイル２０２を使用する場合、
＜ｆｉｌｅ：Ｐｒｏｆｉｌｅ＞ｈｔｔｐ：／／ｎｓ．ｏｓｔａ．ｏｒｇ／ｍｐｖ／ｂａｓｉｃ／１．０／＜／ｆｉｌｅ：Ｐｒｏｆｉｌｅ＞
のような定義が含まれうる。
【００１７】
また、ＭＰＶ文書がプレゼンテーションプロファイル２０４を使用する場合、
＜ｆｉｌｅ：Ｐｒｏｆｉｌｅ＞ｈｔｔｐ：／／ｎｓ．ｏｓｔａ．ｏｒｇ／ｍｐｖ／ｂａｓｉｃ／１．０／＜／ｆｉｌｅ：Ｐｒｏｆｉｌｅ＞
＜ｆｉｌｅ：Ｐｒｏｆｉｌｅ＞ｈｔｔｐ：／／ｎｓ．ｏｓｔａ．ｏｒｇ／ｍｐｖ／ｐｒｅｓｅｎｔａｔｉｏｎ／１．０／＜／ｆｉｌｅ：Ｐｒｏｆｉｌｅ＞
のような定義が含まれうる。
【００１８】
また、ＭＰＶ文書がミュージックプロファイル２０６をベーシックプロファイル２０２と共に使用する場合、
＜ｆｉｌｅ：Ｐｒｏｆｉｌｅ＞ｈｔｔｐ：／／ｎｓ．ｏｓｔａ．ｏｒｇ／ｍｐｖ／ｂａｓｉｃ／１．０／＜／ｆｉｌｅ：Ｐｒｏｆｉｌｅ＞
＜ｆｉｌｅ：Ｐｒｏｆｉｌｅ＞ｈｔｔｐ：／／ｎｓ．ｏｓｔａ．ｏｒｇ／ｍｐｖ／ｍｕｓｉｃ／１．０／＜／ｆｉｌｅ：Ｐｒｏｆｉｌｅ＞
のような定義が含まれうる。
【００１９】
さらに、ＭＰＶ文書がミュージックプロファイル２０６をプレゼンテーションプロファイル２０４と共に使用する場合、
＜ｆｉｌｅ：Ｐｒｏｆｉｌｅ＞ｈｔｔｐ：／／ｎｓ．ｏｓｔａ．ｏｒｇ／ｍｐｖ／ｂａｓｉｃ／１．０／＜／ｆｉｌｅ：Ｐｒｏｆｉｌｅ＞
＜ｆｉｌｅ：Ｐｒｏｆｉｌｅ＞ｈｔｔｐ：／／ｎｓ．ｏｓｔａ．ｏｒｇ／ｍｐｖ／ｐｒｅｓｅｎｔａｔｉｏｎ／１．０／＜／ｆｉｌｅ：Ｐｒｏｆｉｌｅ＞
＜ｆｉｌｅ：Ｐｒｏｆｉｌｅ＞ｈｔｔｐ：／／ｎｓ．ｏｓｔａ．ｏｒｇ／ｍｐｖ／ｍｕｓｉｃ／１．０／＜／ｆｉｌｅ：Ｐｒｏｆｉｌｅ＞
のような定義が含まれる。
【００２０】
注意すべき点は、資産リストを定義するベーシックプロファイルは、必ず含まれねばならないということである。このように、ＭＰＶ文書が含むエレメントによって使われるプロファイルを文書の前部にあらかじめ定義することで、再生装置は、マルチメディアデータの再生時、ＭＰＶ文書をパージングして容易に必要なプロファイルをメモリにロードできる。
【００２１】
しかし、ＭＰＶ標準では、前述したプロファイルバック３０４についての強制事項がない。すなわち、ＭＰＶ文書を生成する装置の仕様によって、ＭＰＶ文書にプロファイルバックが含まれてもよく、含まれなくてもよい。したがって、マルチメディアコンテンツの再生装置は、ＭＰＶ文書で使われるプロファイルを直接判断せねばならない。また、同じＭＰＶ文書に対して、その文書を再生する度に、前述したように使われたプロファイルを毎度判断せねばならないという問題点がある。
【００２２】
また、ＭＰＶ文書にプロファイルバックが含まれた場合でも、プロファイルバックが実際ＭＰＶ文書に使われるプロファイルを正確に反映しているかどうかを確認する方法がないという問題点がある。
【発明の開示】
【発明が解決しようとする課題】
【００２３】
したがって、本発明の技術的課題は、マルチメディアデータを再生する度に、ＭＰＶ文書で使われたプロファイルを毎度判断せず、効率的にＭＰＶ標準のプロファイルを利用してマルチメディアデータを再生する方法及びその再生装置を提供することである。
【課題を解決するための手段】
【００２４】
前述した目的は、本発明によって、ＭＰＶ標準によるプロファイルを利用してマルチメディアデータを再生する方法において、ＭＰＶ文書から、支援される複数のプロファイルのうち、特定プロファイルが使われることを表す基準エレメントを検出するステップと、検出された基準エレメントに対応するプロファイルについての情報を利用して、前記ＭＰＶ文書をアップデートするステップと、前記アップデートされたＭＰＶ文書をパージングして、前記マルチメディアデータを再生するステップとを含むことを特徴とする再生方法により達成される。
【００２５】
前記支援される複数のプロファイルは、資産リストを定義するベーシックプロファイル、属性を定義するプレゼンテーションプロファイル、音楽関連ファイルを定義するミュージックプロファイル、及びその他の支援されるプロファイルのうち、少なくとも一つを含むことが望ましい。
【００２６】
また、前記基準エレメントは、前記ベーシックプロファイルの場合には資産リストエレメント、前記プレゼンテーションプロファイルの場合にはアルバムエレメント、前記ミュージックプロファイルの場合にはミュージック属性エレメントまたはオーディオ＋デジタル写真エレメントであることが特に望ましい。
【００２７】
また、前記ＭＰＶ文書をアップデートするステップは、前記検出された基準エレメントに対応するプロファイルについての情報を、前記ＭＰＶ文書のプロファイルバックに追加するステップであることが望ましく、前記ＭＰＶ文書をアップデートするステップは、前記基準エレメントが検出されず、前記ＭＰＶ文書の前記プロファイルバックには、前記基準エレメントに対応するプロファイルについての情報が存在する場合には、前記対応するプロファイルについての情報を削除するステップであることが望ましい。
【００２８】
一方、本発明の他の分野によれば、前述した目的は、ＭＰＶ標準によるプロファイルを利用してマルチメディアデータを再生する装置において、ＭＰＶ文書から、支援される複数のプロファイルのうち、特定プロファイルが使われることを表す基準エレメントを検出し、検出された基準エレメントに対応するプロファイルについての情報を利用して、前記ＭＰＶ文書をアップデートするプロファイル管理者と、前記アップデートされたＭＰＶ文書をパージングして前記マルチメディアデータを再生するＭＰＶパーザと、を備えることを特徴とする再生装置により達成される。
また、前記再生装置は、パソコン、ＤＶＤプレーヤー、ＤＶＤ再生機能を持つＤＶＤレコーダ、ＭＰ３プレーヤーのうちいずれか一つであることが望ましい。
【発明の効果】
【００２９】
本発明によれば、マルチメディアデータを再生する度に、ＭＰＶ文書で使われたプロファイルを毎度判断せず、効率的にＭＰＶ標準のプロファイルを利用してマルチメディアデータを再生する方法及びその再生装置が提供される。
【００３０】
また、ＭＰＶ文書にプロファイルバックが含まれていない場合、または、プロファイルバッグの内容が実際ＭＰＶ文書の内容と一致しない場合にも、ＭＰＶ文書が実際に使用するプロファイルについての情報を検出できる方法を提供する。
【００３１】
さらに、プロファイルごとに特定のエレメントのみを比較することによって、ＭＰＶ文書をパージングする速度が向上する。そして、ＭＰＶ文書に含まれたプロファイルバッグの内容が検証過程を経ることによって、実際に使われていない不要なプロファイルが間違ってロードされることがなくて資源も節約される。
【００３２】
以後に、本発明によって検証されたＭＰＶファイルが他のコンテンツ再生装置で再生されても、検証されたプロファイルバックに明示されたプロファイルについての情報のみを使用して再生できるので、再生速度が向上して資源が節約される。
【発明を実施するための最良の形態】
【００３３】
以下では、添付した図面を参照して本発明の望ましい実施形態を詳細に説明する。
【００３４】
図４は、本発明によってベーシックプロファイルを利用するＭＰＶ文書の構造を示す図である。図４を参照するに、ＭＰＶ文書４００、すなわち、ＭＰＶマニフェストファイル４１０は、ベーシックプロファイルについての定義を含むメタデータ４２０、マルチメディアデータのリストを定義する資産リスト４３０と、表示資産（ＭａｒｋｅｄＡｓｓｅｔｓ）４４０とを備える。
【００３５】
資産リスト４３０には、シンプルメディア資産４３１と複合メディア資産４３２とがある。シンプルメディア資産には、デジタル写真（スチル）、ビデオ、オーディオ、テキスト、プリント、ドキュメント、マニフェストリンクなどの資産が含まれる。複合メディア資産は、デジタル写真＋デジタルオーディオ、連続撮影デジタル写真（スチルマルチショットシーケンス）、パノマラ撮影デジタル写真（スチルパノラマシーケンス）などの資産が含まれる。
【００３６】
このように、資産リスト４３０が含まれたＭＰＶ文書を利用してコンテンツを管理するために、ベーシックプロファイル２０２が使われる。特に、あらゆるＭＰＶファイルには資産リストが基本的に含まれるので、ベーシックプロファイル２０２は必ず使われる。
【００３７】
一方、図５は、本発明によってプレゼンテーションプロファイルを利用するＭＰＶ文書の構造を示す図である。図５を参照するに、ＭＰＶ文書５００は、プレゼンテーションプロファイルについての定義を含むメタデータ５２０、前述した資産リスト５４０と、アルバム５３０とを含む。
【００３８】
アルバム５３０は、メタデータ５３１と、対応するコンテンツを再生する時に前面に現れるメディアの資産を表示するフォアグラウンド資産５３２、及び対応するコンテンツを再生する時に背景として使われるメディアの資産を表示するバックグラウンド資産５３３を含む。資産リスト５４０は、図４のようなシンプルメディア資産５４１と複合メディア資産５４２とを含む。
【００３９】
このように資産リスト４３０が含まれたＭＰＶ文書を利用してコンテンツを管理するために、ベーシックプロファイル２０２が使われ、アルバム５３０が含まれたＭＰＶ文書を利用してコンテンツを再生するために、プレゼンテーションプロファイル２０４が使われる。
【００４０】
したがって、ベーシックプロファイルが必要であるかどうかを判断するためには、ＭＰＶ文書で資産リストエレメントが含まれているかどうかを確認すればよい。また、プレゼンテーションプロファイルが必要であるかどうかを判断するためには、ＭＰＶ文書でアルバムエレメントが含まれているかどうかを確認すればよい。図示されていないが、同じ原理でミュージックプロファイルが必要であるかどうかを判断するためには、ＭＰＶ文書にミュージック属性や、オーディオ＋写真エレメントが含まれているかどうかを確認すればよい。前述したエレメントは、各プロファイルにのみ含まれる特性があるためである。
【００４１】
図６は、本発明の望ましい実施形態によるＭＰＶ標準によるマルチメディアデータの再生装置のブロック図である。図６を参照するに、本発明によるコンテンツ再生装置は、ＸＭＬパーザ６２０、ＭＰＶプロファイル管理者６３０、及びＭＰＶパーザ６４０を備える。
【００４２】
ＸＭＬパーザ６２０は、ＭＰＶ文書をＸＭＬ規則によってパージングする。
【００４３】
ＭＰＶプロファイル管理者６３０は、ＸＭＬパーザ６２０がパージングした結果を利用して、ＭＰＶパーザが支援するプロファイルを検出できる特定エレメントが存在するかどうかを判断する。また、判断されたプロファイル情報を利用して、プロファイルバックとその内容が一致するかどうかを確認し、もし支援されるＭＰＶプロファイルのうち、検出されていないプロファイルがプロファイルバックに含まれた場合には、プロファイルバックで該当プロファイル情報を削除する。また、検出されたプロファイル情報をプロファイルバックに追加する。プロファイルバックがない場合には、新たにプロファイルバックを生成し、検出されたプロファイルについての情報を追加する。
【００４４】
ＭＰＶパーザ６４０は、アップデートされたプロファイルバックを参照してＭＰＶファイルをパージングする。また、ＭＰＶパーザ６４０は、ベーシックプロファイル６１２、プレゼンテーションプロファイル６１４、ミュージックプロファイル６１６、及びその他に支援されるプロファイル６１８を支援する。
【００４５】
さらに具体的に本発明による再生装置の動作を説明する。
【００４６】
１）ＭＰＶプロファイル管理者６３０は、ＭＰＶ文書をＸＭＬパーザ６２０に伝達する。
【００４７】
２）ＸＭＬパーザ６２０は、伝達されたＭＰＶ文書をＸＭＬ規則によってパージングする。
【００４８】
３）ＭＰＶプロファイル管理者は、２）でＸＭＬ規則によってパージングされた結果に対して、ＭＰＶパーザが支援するプロファイルを検出できる特定エレメントが存在するかどうかを判断する。
【００４９】
４）ＭＰＶプロファイル管理者６３０は、判断されたプロファイル情報を利用してプロファイルバックとその内容が一致するかを確認する。もし、支援されるＭＰＶプロファイルのうち、３）ステップで検出されていないプロファイルがプロファイルバックに存在する場合には、該当プロファイル情報をプロファイルバックで削除する。また、検出されたプロファイルについての情報をプロファイルバックに追加する。もし、プロファイルバックがない場合には、プロファイルバックを生成して検出されたプロファイルについての情報を追加する。
【００５０】
５）ＭＰＶプロファイル管理者６３０は、プロファイルバックについてのアップデート結果をＭＰＶ文書の該当部分に保存する。
【００５１】
６）ＭＰＶプロファイル管理者６３０は、５）ステップでアップデートされたＸＭＬ規則によってパージングされたＭＰＶ文書をＭＰＶパーザ６４０に伝達する。
【００５２】
７）ＭＰＶパーザ６４０は、伝達されたＭＰＶ文書をパージングする。ＭＰＶパーザは、アップデートされたプロファイルバックに含まれたプロファイル情報のみを利用してＭＰＶ文書を容易にパージングできる。
【００５３】
より具体的に、図７は、本発明の望ましい実施形態によってＭＰＶ文書から有効なプロファイルを探す方法を説明するための図である。図７を参照するに、ＭＰＶ文書に含まれたあらゆるエレメントがツリー（ｔｒｅｅ）構造で図示されている。特に、斜線部分は、ＭＰＶパーザが支援するプロファイルを検出できる判断基準になる特定エレメントである。図５で前述したように、ＭＰＶパーザが支援するプロファイルを検出するために、ベーシックプロファイルは、ＭＰＶ文書で資産リスト７２０エレメントが含まれているかどうかを確認すればよい。また、プレゼンテーションプロファイルは、アルバム７１０エレメントが含まれているかどうかを確認し、ミュージックプロファイルは、オーディオ下位に、メタデータ下位に定義されるミュージック属性７３０や、オーディオ＋写真７４０エレメントが含まれているかを確認すればよい。前述したエレメントは、各プロファイルにのみ含まれる特性があるためである。
【００５４】
図８Ａ及び図８Ｂは、本発明の望ましい実施形態によってＭＰＶ文書から有効なプロファイルを探す方法を示すフローチャートである。図８Ａ及び図８Ｂを参照するに、ＸＭＬパーザ６２０を利用して、ＭＰＶ文書をＸＭＬ規則によってパージングする（８０２ステップ）。ＭＰＶプロファイル管理者６３０は、ＸＭＬ規則によってパージングされたＭＰＶ文書に、資産リストエレメントであるｍｐｖ：ＡｓｓｅｔＬｉｓｔの存否を確認し（８０４ステップ）、存在すれば、ＭＰＶ文書のプロファイルバック３０４にベーシックプロファイル２０２についての情報を追加する（８０６ステップ）。もし存在しなければ、誤った形式のＭＰＶ文書であるということを知らせるエラーメッセージを表示する（８２２ステップ）。ベーシックプロファイルは、ＭＰＶ文書に必ず含まれねばならないためである。
【００５５】
また、ＭＰＶプロファイル管理者６３０は、ＸＭＬ規則によってパージングされたＭＰＶ文書にアルバムエレメントであるｍｐｖｐ：Ａｌｂｕｍが存在するかどうかを確認し（８０８ステップ）、存在すれば、ＭＰＶ文書のプロファイルバック３０４にプレゼンテーションプロファイル２０４についての情報を追加する（８１０ステップ）。もし存在しなければ、プロファイルバックにプレゼンテーションプロファイルについての情報が存在するかどうかを確認して（８２４ステップ）、プロファイルバックでこれを削除する（８２６ステップ）。ＭＰＶ文書に実際にアルバムエレメントが含まれていないが、プロファイルバックにアルバムエレメントが存在するならば、プロファイルバッグの情報が正しくない（インバリッド）ということを意味するためである。
【００５６】
さらに、ＭＰＶプロファイル管理者６３０は、ＸＭＬ規則によってパージングされたＭＰＶ文書に、ミュージック属性エレメントであるｍｐｖｍ：ＭｕｓｉｃＰｒｏｐｅｒｔｉｅｓまたはオーディオ＋デジタル写真エレメントであるｍｐｖｍ：ＡｕｄｉｏＷｉｔｈＳｔｉｌｌｓが存在するかどうかを確認し（８１２ステップ）、存在すれば、ＭＰＶ文書のプロファイルバック３０４に、ミュージックプロファイル２０６についての情報を追加する（８１４ステップ）。もし存在しなければ、プロファイルバックに、ミュージックプロファイルについての情報が存在するかを確認して（８２８ステップ）、プロファイルバックでこれを削除する（８３０ステップ）。ＭＰＶ文書に実際にミュージックエレメントが含まれていないが、プロファイルバックにミュージックエレメントが存在するならば、プロファイルバッグの情報が正しくない（Ｉｎｖａｌｉｄ）ということを意味するためである。
【００５７】
また、ＭＰＶプロファイル管理者６３０は、ＸＭＬ規則によってパージングされたＭＰＶ文書に、その他に支援されるプロファイルの特定エレメントが存在するかどうかを確認し（８１６ステップ）、存在すれば、ＭＰＶ文書のプロファイルバック３０４に、該当のその他に支援されるプロファイル２０８についての情報を追加する（８１８ステップ）。もし存在しなければ、プロファイルバックに、該当のその他に支援されるプロファイルについての情報が存在するかどうかを確認して（８３２ステップ）、プロファイルバックでこれを削除する（８３４ステップ）。
【００５８】
最後に、ＭＰＶプロファイル管理者６３０は、ＭＰＶ文書のプロファイルバック３０４部分をアップデートし、ＭＰＶパーザ６４０は、アップデートされたプロファイルバックを利用してＭＰＶ文書をパージングする。
【００５９】
本発明は、ＭＰＶ標準を適用する製品、特に、ＣＥ（Ｃｕｓｔｏｍｅｒ  Ｅｌｅｃｔｒｏｎｉｃｓ）製品に適用できる。例えば、パソコン、ＤＶＤプレーヤー、ＤＶＤ再生機能を含むＤＶＤレコーダ、ＭＰ３プレーヤーなどのマルチメディアコンテンツ再生装置が含まれうる。
【００６０】
以上の説明は、本発明の一実施形態に過ぎず、当業者ならば、本発明の本質的特性から逸脱しない範囲で変形された形態に具現できるであろう。したがって、本発明による実施形態に限定されず、特許請求の範囲に記載された内容と同等な範囲内にある多様な実施形態が含まれるように解釈されねばならない。
【図面の簡単な説明】
【００６１】
【図１】ＭＰＶ標準によるマルチメディアデータの構造を説明するための図である。
【図２】ＭＰＶ標準によるマルチメディアデータの再生に必要なプロファイル構造を説明するための図である。
【図３】ＭＰＶ標準によるマルチメディアデータファイルの一例を示す図である。
【図４】本発明によってベーシックプロファイルを利用するＭＰＶ文書の構造を示す図である。
【図５】本発明によってプレゼンテーションプロファイルを利用するＭＰＶ文書の構造を示す図である。
【図６】本発明の望ましい実施形態によるＭＰＶ標準によるマルチメディアデータの再生装置のブロック図である。
【図７】本発明の望ましい実施形態によってＭＰＶ文書から有効なプロファイルを探す方法を説明するための図である。
【図８Ａ】本発明の望ましい実施形態によってＭＰＶ文書から有効なプロファイルを探す方法を示すフローチャートである。
【図８Ｂ】本発明の望ましい実施形態によってＭＰＶ文書から有効なプロファイルを探す方法を示すフローチャートである。
【図１】
2008504719.tif 000003
【図２】
2008504719.tif 000004
【図３】
2008504719.tif 000005
【図４】
2008504719.tif 000006
【図５】
2008504719.tif 000007
【図６】
2008504719.tif 000008
【図７】
2008504719.tif 000009
【図８Ａ】
2008504719.tif 000010
【図８Ｂ】
2008504719.tif 000011
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
プロファイルを利用してマルチメディアデータを再生する方法において、
文書から、支援される複数のプロファイルのうち、特定プロファイルが使われることを表す基準エレメントを検出するステップと、
検出された基準エレメントに対応するプロファイルについての情報を利用して、前記文書をアップデートするステップと、
前記アップデートされた文書をパージングして、前記マルチメディアデータを再生するステップとを含むことを特徴とする再生方法。
【請求項２】
前記支援される複数のプロファイルは、資産リストを定義するベーシックプロファイル、属性を定義するプレゼンテーションプロファイル、音楽関連ファイルを定義するミュージックプロファイル、及びその他の支援されるプロファイルのうち、少なくとも一つを含むことを特徴とする請求項１に記載の再生方法。
【請求項３】
前記基準エレメントは、前記ベーシックプロファイルの場合には資産リストエレメント、前記プレゼンテーションプロファイルの場合にはアルバムエレメント、前記ミュージックプロファイルの場合にはミュージック属性エレメントまたはオーディオ＋デジタル写真エレメントであることを特徴とする請求項２に記載の再生方法。
【請求項４】
前記文書をアップデートするステップで、前記検出された基準エレメントに対応するプロファイルについての情報は、前記文書のプロファイルバックに追加されることを特徴とする請求項１に記載の再生方法。
【請求項５】
前記文書をアップデートするステップで、前記基準エレメントが検出されず、前記文書の前記プロファイルバックに前記基準エレメントに対応するプロファイルについての情報が存在する場合には、前記対応するプロファイルについての情報を削除することを特徴とする請求項４に記載の再生方法。
【請求項６】
プロファイルを利用してマルチメディアデータを再生する装置において、
文書から、支援される複数のプロファイルのうち、特定プロファイルが使われることを表す基準エレメントを検出し、検出された基準エレメントに対応するプロファイルについての情報を利用して、前記文書をアップデートするプロファイル管理者と、
前記アップデートされた文書をパージングして前記マルチメディアデータを再生するパーザとを備えることを特徴とする再生装置。
【請求項７】
前記支援される複数のプロファイルは、資産リストを定義するベーシックプロファイル、属性を定義するプレゼンテーションプロファイル、音楽関連ファイルを定義するミュージックプロファイル、及びその他の支援されるプロファイルのうち、少なくとも一つを含むことを特徴とする請求項６に記載の再生装置。
【請求項８】
前記基準エレメントは、前記ベーシックプロファイルの場合には資産リストエレメント、前記プレゼンテーションプロファイルの場合にはアルバムエレメント、前記ミュージックプロファイルの場合にはミュージック属性エレメントまたはオーディオ＋デジタル写真エレメントであることを特徴とする請求項７に記載の再生装置。
【請求項９】
前記プロファイル管理者は、前記検出された基準エレメントに対応するプロファイルについての情報を、前記文書のプロファイルバックに追加することを特徴とする請求項６に記載の再生装置。
【請求項１０】
前記プロファイル管理者は、前記基準エレメントが検出されず、前記文書の前記プロファイルバックに、前記基準エレメントに対応するプロファイルについての情報が存在する場合には、前記対応するプロファイルについての情報を削除することを特徴とする請求項９に記載の再生装置。
【請求項１１】
前記再生装置は、パソコン、ＤＶＤプレーヤー、ＤＶＤ再生機能を持つＤＶＤレコーダ、ＭＰ３プレーヤーのうちいずれか一つであることを特徴とする請求項６に記載の再生装置。
【請求項１２】
プロファイルを使用してマルチメディアデータを再生する方法において、
ファイルから、支援される複数のプロファイルのうち、所定プロファイルが使われることを表す基準エレメントを検出するステップと、
検出された基準エレメントに対応するプロファイルについての情報を利用して、前記ファイルで使われるプロファイルを決定するステップと、
前記決定されたプロファイルを使用してマルチメディアデータを再生するステップとを含むマルチメディア再生方法。
【請求項１３】
前記プロファイルはＭＰＶ（ＭｕｓｉｃＰｈｏｔｏＶｉｄｅｏ）標準に準拠し、及び前記文書はＭＰＶ文書である、請求項１に記載の方法。
【請求項１４】
前記プロファイルはＭＰＶ（ＭｕｓｉｃＰｈｏｔｏＶｉｄｅｏ）標準に準拠し、及び前記文書はＭＰＶ文書である、請求項６に記載の装置。
【請求項１５】
前記プロファイルはＭＰＶ（ＭｕｓｉｃＰｈｏｔｏＶｉｄｅｏ）標準に準拠し、及び前記ファイルはＭＰＶファイルである、請求項１２に記載の方法。
【請求項１６】
前記支援される複数のプロファイルは、資産リストを定めるベーシックプロファイル、マルチメディアデータの表示方式を定めるプレゼンテーションプロファイル、音楽関連ファイルを定めるミュージックプロファイル、及びその他の支援されるプロファイルのうちの少なくとも１つを有する、請求項１２に記載の方法。
【請求項１７】
前記基準エレメントは、前記ベーシックプロファイルの場合には資産リストエレメントであり、前記プレゼンテーションプロファイルの場合にはアルバムエレメントであり、前記ミュージックプロファイルの場合にはミュージック属性エレメント又はオーディオ＋デジタル写真エレメントである、請求項１６に記載の方法。
【請求項１８】
前記プロファイルを決定するステップで、検出された前記基準エレメントに対応するプロファイルについての情報は、前記ファイルのプロファイルバックに追加される、請求項１２に記載の方法。
【請求項１９】
前記プロファイルを決定するステップで、基準エレメントが検出されず、基準エレメントに対応するプロファイルについての情報が前記ファイルの前記プロファイルバックに存在する場合、前記基準エレメントに対応するプロファイルについての情報は削除される、請求項１８に記載の方法。
【請求項２０】
プロファイルを利用してマルチメディアデータを再生する装置において、
ファイル内で、支援される複数のプロファイルのうち、特定プロファイルが使われることを表す基準エレメントを検出し、検出された基準エレメントに対応するプロファイルについての情報を利用して、前記ファイルで利用されるべきプロファイルを決定するプロファイル管理者と、
前記決定されたプロファイルを用いマルチメディアデータを再生するパーザとを備えることを特徴とする装置。
【請求項２１】
前記プロファイルはＭＰＶ（ＭｕｓｉｃＰｈｏｔｏＶｉｄｅｏ）標準に準拠し、及び前記ファイルはＭＰＶファイルである、請求項２０に記載の装置。
【請求項２２】
前記支援される複数のプロファイルは、資産リストを定めるベーシックプロファイル、マルチメディアデータの表示方式を定めるプレゼンテーションプロファイル、音楽関連ファイルを定めるミュージックプロファイル、及びその他の支援されるプロファイルのうちの少なくとも１つを有する、請求項２０に記載の装置。
【請求項２３】
前記基準エレメントは、前記ベーシックプロファイルの場合には資産リストエレメントであり、前記プレゼンテーションプロファイルの場合にはアルバムエレメントであり、前記ミュージックプロファイルの場合にはミュージック属性エレメント又はオーディオ＋デジタル写真エレメントである、請求項２２に記載の装置。
【請求項２４】
前記プロファイル管理者は、検出された前記基準エレメントに対応するプロファイルについての情報を、前記ファイルのプロファイルバックに追加する、請求項２０に記載の装置。
【請求項２５】
前記プロファイル管理者は、基準エレメントが検出されず、前記文書の前記プロファイルバックに、前記基準エレメントに対応するプロファイルについての情報が存在する場合には、前記基準エレメント対応するプロファイルについての情報を削除する、請求項２４に記載の装置。
【国際調査報告】
2008504719.tif 000012
2008504719.tif 000013